(57)【要約】  中空の壁のためのアンカーアセンブリ（Ａ）は、係止体（４００）及びトグル部材（２３１）を備え、前記トグル部材は、アンカーアセンブリ（Ａ）がトグル部材（２３１）の切断遠位の端部（３２５）を介して壁（Ｗ）内に挿入されることができるようにトグル部材（２３１）が係止体（４００）を略直線的に位置合わせされる第１の位置と、トグル部材（２３１）が壁（Ｗ）を貫通して延在する係止体（４００）に対する所定角度で壁（Ｗ）の後方に延在する第２の位置との間を移動可能である。トグル部材（２３１）は、第１の位置において拘束保持され、しかし解放され、結果として係止体（４００）内に差し込まれる固定具（２１８）によって第２の位置へと回転する。固定具（２１８）は、トグル部材（２３１）を螺号可能に係合し、それによって壁（Ｗ）の裏側に対してトグル部材（２３１）を引き込む。
2008533412.tif 000002
【特許請求の範囲】
【請求項１】
係止体と前記係止体に移動可能に取り付けられたトグル部材とを備えているアンカーアセンブリであって、
前記トグル部材は、第１の位置と第２の位置との間を移動可能とされ、
前記トグル部材は、前記第１の位置において、前記アンカーアセンブリが前記壁に挿入するために回転可能とされるように前記係止体と略直線的に位置合わせされ、
前記トグル部材は、前記第２の位置において、前記壁の穴を貫通して延在する前記係止体と共に、前記係止体に対して所定角度で前記壁の後方に延在し、
前記トグル部材は、適切な固定具が前記係止体に差し込まれるときに前記係止体に沿って長手方向に移動可能であることを除き、前記第１の位置に捕捉された状態で保持され、
ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、
前記トグル部材は、前記係止体が前記壁に対して実質的に固定された状態で保持される一方で、前記固定具がさらに回転されることによって前記トグル部材が前記壁の裏側に対して引き込まれるように、前記固定具を螺合可能に受容するように適合され、
前記係止体及び前記トグル部材は、前記第１の位置に位置している場合に前記トグル部材を捕捉された状態に保持するために協働し、且つ互いに離隔された第１のロック手段及び第２のロック手段を少なくとも備えていることを特徴とする、中空の壁のためのアンカーアセンブリ。
【請求項２】
各前記ロック手段は、前記トグル部材及び前記係止体それぞれに設けられた、協働する第１の要素及び第２の要素を含み、前記第１の要素及び前記第２の要素は、互いに軸方向に係合されていることを特徴とする請求項１に記載のアンカーアセンブリ。
【請求項３】
各前記ロック手段の前記第１の要素及び前記第２の要素は、前記トグル部材及び前記係止体それぞれに設けられた舌状要素及び溝要素を備えていることを特徴とする請求項１又は２に記載のアンカーアセンブリ。
【請求項４】
前記舌状要素及び前記溝要素は、前記係止体に略平行に対して延在していることを特徴とする請求項３に記載のアンカーアセンブリ。
【請求項５】
前記係止体は、一対の離隔された略平行なポストを含み、
前記トグル部材の後部は、前記トグル部材が前記係止体に対して相対的に長手方向に移動することによって前記舌状要素と前記溝要素との係合が解除されるように、前記ポスト同士の間で前記ポストに沿ってスライド可能とされ、
前記ディフレクター手段が前記係止体の遠位要素に係合した場合に、前記トグル部材が前記第２の位置に向かって回動可能とされるように捕捉された状態を維持していることを特徴とする請求項３又は４に記載のアンカーアセンブリ。
【請求項６】
前記係止体の前記遠位要素は、前記ポストの両遠端部に取り付けられたコネクタを備えていることを特徴とする請求項５に記載のアンカーアセンブリ。
【請求項７】
前記ロック手段は、前記トグル部材の両長手端に沿って形成され、且つ、前記第１の位置において前記係止体の前記ポストの両側縁部に係合するように適合された第１の組のトラック及び第２の組のトラックをさらに含んでいることを特徴とする請求項５又は６に記載のアンカーアセンブリ。
【請求項８】
前記第１の組のトラック及び前記第２の組のトラックは、軸方向の間隙が前記第１の組のトラックと前記第２の組のトラックとの間に形成された状態で前記ポストの両側部に設けられ、
前記軸方向の間隙は、前記トグル部材が前記第２の位置に位置している場合に、前記ポストを前記軸方向の間隙に受容するような大きさとされ、
前記ポストは、前記トグル部材を前記係止体に対して略垂直な位置に制限することによって前記固定具が容易に前記トグル部材に螺合するように、前記第１の組のトラック及び前記第２の組のトラックに当接することを特徴とする請求項７に記載のアンカーアセンブリ。
【請求項９】
前記舌状要素は、前記係止体の前記ポストに設けられ、且つ略同一の長手方向に延在し、
前記溝要素は、前記トグル部材に形成され、且つ略同一の長手方向に延在していることを特徴とする請求項５〜８のいずれか一項に記載のアンカーアセンブリ。
【請求項１０】
前記係止体は、例えばナイロンのようなプラスチック材料からなり、前記舌状要素は、例えば亜鉛のような金属材料からなることを特徴とする請求項１〜９のいずれか一項に記載のアンカーアセンブリ。
【請求項１１】
前記係止体は、自身の前側に設けられた近位のカラーを備え、
少なくとも１つの湾曲されたロック突出部は、前記カラーから外方に延在し、前記アンカーアセンブリが回転することによって前記壁に据え付けられた際に前記壁に係合するように適合され、これにより前記アンカーアセンブリが前記壁に対してさらに回転した場合に抵抗が生じることを特徴とする請求項１〜１０のいずれか一項に記載のアンカーアセンブリ。
【請求項１２】
２つの前記ロック突出部を備えていることを特徴とする請求項１１に記載のアンカーアセンブリ。
【請求項１３】
各前記ロック突出部は、フィンを含んでいることを特徴とする請求項１１又は１２に記載のアンカーアセンブリ。
【請求項１４】
各前記湾曲されたロック突出部は、螺旋状であることを特徴とする請求項１１〜１３のいずれか一項に記載のアンカーアセンブリ。
【請求項１５】
前記ロック突出部は、前記カラーの径方向において略対向する両側部に設けられることを特徴とする請求項１２に記載のアンカーアセンブリ。
【請求項１６】
前記係止体は、前記カラーの近傍にフランジ状の端部を備え、
前記フランジ状の端部は、一旦前記係止体が壁に据え付けられると、前記壁の目視可能な表面に対して載置するように適合されることを特徴とする請求項１１〜１５のいずれか一項に記載のアンカーアセンブリ。
【請求項１７】
空隙は、ドライウォールのパーティクルボードを受容するために、前記フランジ状の端部と各前記ロック突出部との間で軸方向に形成されていることを特徴とする請求項１６に記載のアンカーアセンブリ。
【請求項１８】
前記トグル部材は、対向する近位端及び遠位端を有し、
凹所は、前記トグル部材の前記近位端に形成され、回転式工具の前部を受容するように適合され、
これにより前記回転式工具の前記前部は、前記トグル部材の前記遠位端が前記壁を切断するように適合された状態で、前記第１の位置で前記凹所に係合し、前記アンカーアセンブリを前記壁に挿入するために回転可能とされることを特徴とする請求項１〜１０のいずれか一項に記載のアンカーアセンブリ。
【請求項１９】
前記係止体は、前記回転式工具の前記前部に係合されている際に前記回転式工具の六角形状の後部を受容するように適合された六角形状のソケットを形成している近位のカラーを備え、
それによって、前記回転式工具は、自身が回転した場合に、前記第１の位置において、前記アンカーアセンブリを前記壁内に挿入するために前記トグル部材及び前記係止体に力を作用させることを特徴とする請求項１８に記載のアンカーアセンブリ。
【請求項２０】
前記回転式工具は、前記後部及び前記前部を備えたドライバー用ビットを含んでいることを特徴とする請求項１９に記載のアンカーアセンブリ。
【請求項２１】
ねじ穴が、例えば小ねじのような、ねじ部を有する固定具を受容するために前記トグル部材内に形成されることを特徴とする請求項１〜１０のいずれか一項に記載のアンカーアセンブリ。
【請求項２２】
係止体と、前記係止体に移動可能に取り付けられたトグル部材とを備えているアンカーアセンブリであって、
前記トグル部材は、第１の位置と第２の位置との間を移動可能とされ、
前記トグル部材は、前記第１の位置において、前記アンカーアセンブリが前記壁に挿入するために回転可能とされるように前記係止体と略直線的に位置合わせされ、
前記トグル部材は、前記第２の位置において、前記壁の穴を貫通して延在する前記係止体と共に、前記係止体に対して所定角度で前記壁の後方に延在し、
前記トグル部材は、適切な固定具が前記係止体に差し込まれるときに前記係止体に沿って長手方向に移動可能であることを除き、前記第１の位置に捕捉された状態で保持され、
ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、
前記トグル部材は、前記固定具が前記壁に対して実質的に固定された状態で保持される一方で、前記固定具がさらに回転されることによって前記トグル部材が前記壁の裏側に対して引き込むように、前記固定具を螺合可能に受容するように適合され、
前記係止体は、自身の前側に設けられた近位のカラーを備え、
少なくとも１つの湾曲されたロック突出部は、前記アンカーアセンブリが回転することによって前記壁に据え付けられた際に前記壁に係合するように適合され、これにより前記アンカーアセンブリが前記壁に対してさらに回転した場合に抵抗が生じることを特徴とする、中空の壁のためのアンカーアセンブリ。
【請求項２３】
２つの前記ロック突出部を備えていることを特徴とする請求項２２に記載のアンカーアセンブリ。
【請求項２４】
各前記ロック突出部は、フィンを含んでいることを特徴とする請求項２２又は２３に記載のアンカーアセンブリ。
【請求項２５】
各前記湾曲されたロック突出部は、螺旋状であることを特徴とする請求項２２〜２４のいずれか一項に記載のアンカーアセンブリ。
【請求項２６】
前記ロック突出部は、前記カラーの径方向において略対向する両側部に設けられていることを特徴とする請求項２３に記載のアンカーアセンブリ。
【請求項２７】
前記係止体は、前記カラーの近傍にフランジ状の端部を備え、
前記フランジ状の端部は、一旦前記係止体が壁に据え付けられると、前記壁の目視可能な表面に対して載置するように適合されることを特徴とする請求項２２〜２６のいずれか一項に記載のアンカーアセンブリ。
【請求項２８】
空隙は、ドライウォールのパーティクルボードを受容するために、前記フランジ状の端部と各前記ロック突出部との間で軸方向に形成されていることを特徴とする請求項２７に記載のアンカーアセンブリ。
【請求項２９】
係止体と前記係止体に移動可能に取り付けられたトグル部材とを備えているアンカーアセンブリであって、
前記トグル部材は、第１の位置と第２の位置との間を移動可能とされ、
前記トグル部材は、前記第１の位置において、前記アンカーアセンブリが前記壁に挿入されるために回転可能とされるように前記係止体と略直線に位置合わせされ、
前記トグル部材は、前記第２の位置において、前記壁の穴を貫通して延在する前記係止体と共に、前記係止体に対して所定角度で前記壁の後方に延在し、
前記トグル部材は、適切な固定具が前記係止体に差し込まれるときに前記係止体に沿って長手方向に移動可能であることを除き、前記第１の位置に捕捉された状態で保持され、
ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、
前記トグル部材は、前記係止体が前記壁に対して実質的に固定された状態で保持された前記固定具がさらに回転されることによって前記トグル部材が前記壁の裏側に対して引き込まれるように、前記固定具を螺合可能に受容するように適合され、
前記トグル部材は、対向する近位端及び遠位端を有し、
凹所は、前記トグル部材の前記近位端で形成され、回転式工具の前部を受容するように適合され、
これにより前記回転式工具の前記前部は、前記トグル部材の前記遠位端が前記壁を切断するように適合された状態で、前記第１の位置で前記凹所に係合し、前記アンカーアセンブリを前記壁に挿入するために回転可能とされることを特徴とする、中空の壁のためのアンカーアセンブリ。
【請求項３０】
前記係止体は、前記回転式工具の前記前部に係合されている際に前記回転式工具の六角形状の後部を受容するように適合された六角形状のソケットを形成している近位のカラーを備え、
それによって、前記回転式工具は、自身が回転した場合に、前記第１の位置において、前記アンカーアセンブリを前記壁内に挿入するために前記トグル部材及び前記係止体に力を作用させることを特徴とする請求項２９に記載のアンカーアセンブリ。
【請求項３１】
前記回転式工具は、前記後部及び前記前部を備えたドライバー用ビットを含んでいることを特徴とする請求項３０に記載のアンカーアセンブリ。
【請求項３２】
係止体と前記係止体に移動可能に取り付けられたトグル部材とを備えているアンカーアセンブリであって、
前記トグル部材は、第１の位置と第２の位置との間を移動可能とされ、
前記トグル部材は、前記第１の位置において、前記アンカーアセンブリが前記壁に挿入するために回転可能とされるように前記係止体と略直線的に位置合わせされ、
前記トグル部材は、前記第２の位置において、前記壁の穴を貫通して延在する前記係止体と共に、前記係止体に対して所定角度で前記壁の後方に延在し、
前記トグル部材は、適切な固定具が前記係止体に差し込まれるときに前記係止体に沿って長手方向に移動可能であることを除き、前記第１の位置に捕捉された状態で保持され、
ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、
前記トグル部材は、前記係止体が前記壁に対して実質的に固定された状態で保持される一方で、前記固定具がさらに回転されることによって前記トグル部材が前記壁の裏側に対して引き込まれるように、前記固定具を螺号可能に受容するように適合され、
ねじ穴は、小ネジのような、ねじ部を有する固定具を受容するために前記トグル部材内に形成されることを特徴とする、中空の壁のためのアンカーアセンブリ。
【請求項３３】
係止体と前記係止体に移動可能に取り付けられたトグル部材とを備えているアンカーアセンブリであって、
前記トグル部材は、第１の位置と第２の位置との間を移動可能とされ、
前記トグル部材は、前記第１の位置において、前記アンカーアセンブリが前記壁に挿入されるために回転可能とされるように前記係止体と略直線的に位置合わせされ、
前トグル部材は、前記第２の位置において、前記壁の穴を貫通して延在する前記係止体と共に、前記係止体に対して所定角度で前記壁の後方に延在し、
前記トグル部材は、適切な固定具が前記係止体に差し込まれるときに前記係止体に沿って長手方向に移動可能であることを除き、前記第１の位置に捕捉された状態で保持され、
ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、
前記トグル部材は、前記係止体が前記壁に対して実質的に固定された状態で保持される一方、前記固定具がさらに回転されることによって前記トグル部材が前記壁の裏側に対して引き込まれるように、前記固定具を螺合可能に受容するように適合され、
前記係止体は、例えばナイロンのようなプラスチック材料からなり、前記舌状要素は、例えば亜鉛のような金属材料からなり、
仮のロック手段は、前記アンカーアセンブリに強固に設けられるために前記第１の位置において前記係止体と前記トグル部材との間に設けられることを特徴とする、中空の壁のアンカーアセンブリ。
【発明の詳細な説明】
【技術分野】
【０００１】
［関連出願の相互参照］
この出願は、２００５年３月２１日に出願されたカナダ特許出願第２，５０２，００８号に優先権を主張し、２００５年３月３１に出願された米国特許出願第６０／６８５，５０１号に優先権を主張し、本明細書に参照して組み込まれる。
【０００２】
この発明は、ボルト又はねじなどのような細長い固定具が製造工程にある製品又は固定具のさらなる取り付けのために取り付けられるプラスターボード、石工建築、レンガ及び同種のものの中空の壁に物体を固定するための係止装置に関する。さらに具体的に、本発明は、いわゆるトグルボルトアンカー（toggle bolt anchors）に関し、第１の軸に沿って延在しているナットまたは係止部材と共にウォールボードの材料または同種のものを貫通し、ねじ山を切られたボルトは、ウォールボードの背面に対してナットを引き付けるためのナットのねじを係合することができるように、又はねじは、ウォールボードの背面に対して係止部材を引き付けるために係止部材におけるねじをねじ切りすることができるように、係止部分が第１の軸の法線軸に沿って延在している位置へ移動可能である。
【背景技術】
【０００３】
本明細書では参照によって組み込まれる特許文献１において、脚部上に移動可能に支持され、脚部に対して横の位置に脚部と略直線的に位置合わせされる第１の位置から移動可能である係止部と平行な関係で支持される脚部のような一対の細長いワイヤを備える固定具のためのアンカーアセンブリを開示され、前記アンカーアセンブリは脚部上に係止部を支持するために各側にトラックを形成する。係止部の回動運動は、係止部上のトラックと係止部が支持されて可動する脚部の間の相互作用によって達成される。
【０００４】
上記の種類のアンカーアセンブリの問題は、アンカーアセンブリが壁の背面に対して引き付けるために壁の中空部に係止部分を配置するためのその穴に挿入されることができる以前に、穴が壁にドリルで穴を開けられなければならないことである。特に脆いウォールボードの材料にドリルで穴を開けることは、損傷された背面を結果的に生じ、従って弱くなった壁が生じる。これは、ドリルの前部がそのようなアンカーアセンブリにおいて係止部の前部に使用されるという事実にさえ帰着する。
【０００５】
特許文献２は、本明細書に参照によって組み込まれ、固定具のためのアンカーアセンブリのトグルの前部でドリルの前部を備える壁用アンカーアセンブリを開示される。より具体的に、アンカーアセンブリは、カラーから延在している一対のポストを有している。カラーは、ねじの一部分を通過するための開口部を有している。カラーの遠位端では、ポストはコネクタによって接続される。係止部材は、各ポスト間に、及びカラーとコネクタとの間に捕捉されている。アンカーアセンブリは、係止軸がアセンブリの軸に略平行であり、且つ本体部分から係止体の部分及びポストに略平行である貫通している構成を有する。舌状部は、ポストの内部表面から突出し、アセンブリの軸に略平行な長手方向の係止軸と共に貫通している構成において係止部材上の溝に係合され、カラーから係止部材へ軸方向の回転を伝達する。ねじは、壁に対してアンカーアセンブリを締め付けるために壁に対して係止部材を引き付けるために係止部内の穴に係合する。
【特許文献１】米国特許第５，２２１，１６９号明細書
【特許文献２】米国特許第６，２５０，８６５号明細書
【発明の開示】
【発明が解決しようとする課題】
【０００６】
それ故に、本発明の目的は、改良されたアンカーアセンブリを提供することである。
【０００７】
それ故に、本発明に従って、係止体と前記係止体に移動可能に取り付けられたトグル部材とを備えているアンカーアセンブリであって、前記トグル部材は、第１の位置と第２の位置との間を移動可能とされ、前記トグル部材は、前記第１の位置において、前記アンカーアセンブリが前記壁に挿入するために回転可能とされるように前記係止体と略直線的に位置合わせされ、前記トグル部材は、前記第２の位置において、前記壁の穴を貫通して延在する前記係止体と共に、前記係止体に対して所定角度で前記壁の後方に延在し、前記トグル部材は、適切な固定具が前記係止体に差し込まれるときに前記係止体に沿って長手方向に移動可能であることを除き、前記第１の位置に捕捉された状態で保持され、ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、前記トグル部材は、前記係止体が前記壁に対して実質的に固定された状態で保持される一方で、前記固定具がさらに回転されることによって前記トグル部材が前記壁の裏側に対して引き込まれるように、前記固定具を螺合可能に受容するように適合され、前記係止体及び前記トグル部材は、前記第１の位置に位置している場合に前記トグル部材を捕捉された状態に保持するために協働し、且つ互いに離隔された第１のロック手段及び第２のロック手段を少なくとも備えていることを特徴とする、中空の壁のためのアンカーアセンブリを提供される。
【０００８】
さらに本発明に従って、係止体と、前記係止体に移動可能に取り付けられたトグル部材とを備えているアンカーアセンブリであって、前記トグル部材は、第１の位置と第２の位置との間を移動可能とされ、前記トグル部材は、前記第１の位置において、前記アンカーアセンブリが前記壁に挿入するために回転可能とされるように前記係止体と略直線的に位置合わせされ、前記トグル部材は、前記第２の位置において、前記壁の穴を貫通して延在する前記係止体と共に、前記係止体に対して所定角度で前記壁の後方に延在し、前記トグル部材は、適切な固定具が前記係止体に差し込まれるときに前記係止体に沿って長手方向に移動可能であることを除き、前記第１の位置に捕捉された状態で保持され、ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、前記トグル部材は、前記固定具が前記壁に対して実質的に固定された状態で保持される一方で、前記固定具がさらに回転されることによって前記トグル部材が前記壁の裏側に対して引き込むように、前記固定具を螺合可能に受容するように適合され、前記係止体は、自身の前側に設けられた近位のカラーを備え、少なくとも１つの湾曲されたロック突出部は、前記アンカーアセンブリが回転することによって前記壁に据え付けられた際に前記壁に係合するように適合され、これにより前記アンカーアセンブリが前記壁に対してさらに回転した場合に抵抗が生じることを特徴とする、中空の壁のためのアンカーアセンブリを提供される。
【０００９】
さらに本発明に従って、係止体と前記係止体に移動可能に取り付けられたトグル部材とを備えているアンカーアセンブリであって、前記トグル部材は、第１の位置と第２の位置との間を移動可能とされ、前記トグル部材は、前記第１の位置において、前記アンカーアセンブリが前記壁に挿入されるために回転可能とされるように前記係止体と略直線に位置合わせされ、前記トグル部材は、前記第２の位置において、前記壁の穴を貫通して延在する前記係止体と共に、前記係止体に対して所定角度で前記壁の後方に延在し、前記トグル部材は、適切な固定具が前記係止体に差し込まれるときに前記係止体に沿って長手方向に移動可能であることを除き、前記第１の位置に捕捉された状態で保持され、ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、前記トグル部材は、前記係止体が前記壁に対して実質的に固定された状態で保持された前記固定具がさらに回転されることによって前記トグル部材が前記壁の裏側に対して引き込まれるように、前記固定具を螺合可能に受容するように適合され、前記トグル部材は、対向する近位端及び遠位端を有し、凹所は、前記トグル部材の前記近位端で形成され、回転式工具の前部を受容するように適合され、これにより前記回転式工具の前記前部は、前記トグル部材の前記遠位端が前記壁を切断するように適合された状態で、前記第１の位置で前記凹所に係合し、前記アンカーアセンブリを前記壁に挿入するために回転可能とされることを特徴とする、中空の壁のためのアンカーアセンブリを提供される。
【００１０】
よりさらに、本発明に従って、係止体と前記係止体に移動可能に取り付けられたトグル部材とを備えているアンカーアセンブリであって、前記トグル部材は、第１の位置と第２の位置との間を移動可能とされ、前記トグル部材は、前記第１の位置において、前記アンカーアセンブリが前記壁に挿入するために回転可能とされるように前記係止体と略直線的に位置合わせされ、前記トグル部材は、前記第２の位置において、前記壁の穴を貫通して延在する前記係止体と共に、前記係止体に対して所定角度で前記壁の後方に延在し、前記トグル部材は、適切な固定具が前記係止体に差し込まれるときに前記係止体に沿って長手方向に移動可能であることを除き、前記第１の位置に捕捉された状態で保持され、ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、前記トグル部材は、前記係止体が前記壁に対して実質的に固定された状態で保持される一方で、前記固定具がさらに回転されることによって前記トグル部材が前記壁の裏側に対して引き込まれるように、前記固定具を螺号可能に受容するように適合され、ねじ穴は、小ネジのような、ねじ部を有する固定具を受容するために前記トグル部材内に形成されることを特徴とする、中空の壁のためのアンカーアセンブリを提供される。
【００１１】
よりさらに、本発明に従って、係止体と前記係止体に移動可能に取り付けられたトグル部材とを備えているアンカーアセンブリであって、前記トグル部材は、第１の位置と第２の位置との間を移動可能とされ、前記トグル部材は、前記第１の位置において、前記アンカーアセンブリが前記壁に挿入されるために回転可能とされるように前記係止体と略直線的に位置合わせされ、前トグル部材は、前記第２の位置において、前記壁の穴を貫通して延在する前記係止体と共に、前記係止体に対して所定角度で前記壁の後方に延在し、前記トグル部材は、適切な固定具が前記係止体に差し込まれるときに前記係止体に沿って長手方向に移動可能であることを除き、前記第１の位置に捕捉された状態で保持され、ディフレクター手段は、前記トグル部材が自身の捕捉された状態から自身を解放する程度に長手方向において移動した後に、前記トグル部材を前記第２の位置に向かって前記係止体に対して相対的に回動させるために設けられ、前記トグル部材は、前記係止体が前記壁に対して実質的に固定された状態で保持される一方、前記固定具がさらに回転されることによって前記トグル部材が前記壁の裏側に対して引き込まれるように、前記固定具を螺合可能に受容するように適合され、前記係止体は、例えばナイロンのようなプラスチック材料からなり、前記舌状要素は、例えば亜鉛のような金属材料からなり、仮のロック手段は、前記アンカーアセンブリに強固に設けられるために前記第１の位置において前記係止体と前記トグル部材との間に設けられることを特徴とする、中空の壁のアンカーアセンブリを提供される。
【００１２】
さらに具体的には、前記係止体は、工具が前記凹所を係合し、前記第１の位置で壁に前記アンカーアセンブリを挿入するために回転可能とされるように、工具が前記ソケットを係合されるように工具の六角形状のビットを受容するように適合された六角形状のソケットを形成している近位のカラーを備える。
【００１３】
従って、一般的に記載された本発明の本質を有しているので、参照は、その好ましい実施形態の図によって、添付の図面を参照されたい。
【発明を実施するための最良の形態】
【００１４】
図１〜１４は、前記の特許文献２の従来のアンカーアセンブリ１０を示し、その詳細な説明は以下に記載する。
【００１５】
アンカーアセンブリ１０は、ボルト１８又はそのようなもののシャンク部分を受容するように設計及び構成される開口部２２を有しているカラー２０を含む。一対のポスト２４，２６は、ポストの両側部及びアセンブリのカラー部分上に平行な関係でカラーから一体に延在している。ポストは、湾曲した接続端部２８によってポストの遠位端で互いに接続される。カラー及び開口部は、アンカーアセンブリ３１とボルト固定具１８との間で位置合わせを確実にするために構成される。
【００１６】
係止部分は、係止部分が前方に移動するボルトの係合によって始めに前方へ移動されるので、ポストの両側部でスライド可能に係合する係止部分の両側に配置された前方のトラック３５及び後方のトラック３６を有している。係止部分は、リッジ部４０、ポスト上のチャンネル５０、及び係止部分の側部のそれぞれの係合によって、ポストと共に平行関係で保持される。係止部分のチャンネルがポストのリッジ部の端部を通過するとき、係止部分は、ボルトが壁の背面の表面に対して係止部分を引き込むために係止部分の穴６０内にねじ込まれることを可能にするように、ポストに平行な軸のその位置からポストに対して法線軸の位置に移動することを可能にする。
【００１７】
内部傾斜部７０は、ポストと平行の範囲外の係止部分の方向づけを生じるボルトの端部を係合するために係止部分の近位端で設けられる。前方のトラック３６及び後方のトラック３６との間の係止部分の両側部にある外部傾斜部８０は、ポストの縁部でスライドし、同様にポストと平行関係の範囲外で保証するために各ポスト間に接続部２８と相互に作用する。
【００１８】
係止部分及びカラー及びポスト部分の９０度の軸の移動を可能にするために、ポストの幅に等しい係止部分の両側部で前方のトラックと後方のトラックとの間の間隙１００がある。それらの間隙内のチャンネル１０１は、係止軸がポストの軸に対して法線であるときに、ポストのリッジ４０を受容する。
【００１９】
係止部分及びカラー及びポスト部分は、組立プロセス内で圧入である。このアセンブリは、様々な材料、特に金属又はプラスチックからなることができる。
【００２０】
係止部材３１は、切断先行縁部と共にフルート１２６を備える遠位の端部上にねじ付きの前部１２５を設け、チャンネル１２７の近傍へ延在する。フルートの切断先行縁部１２８は、フルート内に載置され、チャンネルへのアクセスを提供し、それによってウォールボードの材料の量を減らされる壁材料を切断し、ウォールボードの材料は、ねじ付きの前部の比較的高くねじ切りしているねじ山１２９の回転と、ねじ山間に、且つねじ山に平行に可動する圧縮バンド１３０（compression band）の周囲の間で圧縮される。前部は、その近位の縁部で伸長され、且つ後方に曲げる。ねじ山と一緒にこの形状は、ドリル作用によって生じる壁材料を前方に押すというよりも壁材料を貫通して、アンカーアセンブリを引き込む。
【００２１】
図２において、ポスト２６のリッジ４０上の突出部１４０は、係止部材３１のチャンネル５０上の（図７に示す）戻り止め１４２を固着する。
【００２２】
ボルト１８は、ボルト、小ネジ、セルフタップねじ又は同じようなものであってもよい。現在の好ましい実施形態において、ボルト１８は、平頭状の円錐状のシャフト前部へ向けてより小さくシャフト端部で粗くネジが切られたテーパー部を有しているセルフタップ型のねじであり、その中から突出している４つのねじ切り可能なリッジ１６０を有している（図８に示す）非ネジ穴６０を係合する。リッジ１６０同士間の空間１６２は、ねじ切りされることによって押しのけられたリッジの材料が移動する場所とされる。
【００２３】
ボルト１８は、カラー２０の十字スロット１８０のように、プラスドライバー（Phillips screwdrivers）又はマイナスドライバー（blade screwdrivers）のどちらかを受容するヘッド部を有する。
【００２４】
図１５〜図２０は、本発明におけるアンカーアセンブリＡを示し、明細書の以下に詳細な説明を記述する。本発明のアンカーアセンブリＡは、上記に述べた（図１〜１４に示す）特許文献１の従来のアンカーアセンブリ１０と共に構造的に及び操作的に類似点を有し、以下の説明は、従来のアンカーアセンブリ１０で発見されていないアンカーアセンブリＡの特徴を記述することによって簡潔さのために省略させるであろう。以下の説明及びそれに関連する図面において、図１（及び図２〜１４）のアンカーアセンブリ１０の対応する構成要素に機能において及び／又は構造において類似であり、又は同一であるアンカーアセンブリＡの構成要素は、構成要素が有する参照数字の２００を除いて図１（及び図２〜１４）における同一の参照符号を有する。アンカーアセンブリＡに設けられる新しい構成要素（又はアンカーアセンブリ１０と同一ではない構成要素）は、参照符号４００で始まる。
【００２５】
アンカーアセンブリＡの係止部材２３１において、穴２６０は、ねじ山が切られ、固定具２１８は、（例えば、１／８インチ、３／１６インチ、１／４インチのような）ボルト又は小ネジであり、それによって、固定具が（アンカーアセンブリ１０の穴６０内のように）穴でねじをねじ切りしなければならないことはない。
【００２６】
アンカーアセンブリ１０は、完全に亜鉛（zinc）からなる一方、アンカーアセンブリＡの固定体４００は、一般的にナイロン（nylon）のようなプラスチック材料からなる。トグル係止部材２３１は、一般的に亜鉛製のままである。壁又は天井等にアンカーアセンブリの回転しながら据え付けている間に可撓性が明らかになるナイロンの相対的な可撓性を相殺するために、第１の仮のロックシステム及び第２の仮のロックシステムは設けられ、図１５のようにアンカーアセンブリＡがその挿入位置にあるときに、各仮のロックシステムは可動し、トグル係止部材２３１はナイロン製の固定体４００に位置合わせされ、それに対して長手方向に引き込ませる。それらの第１の仮のロックシステム及び第２の仮のロックシステムは、トラック２３５とトラック２３６との間の相互作用、且つ（図１５に示すように）ねじ付き前部３２５の接続端部２２８と近位の端部４１０との間の相互作用に加えて設けられる。
【００２７】
第１の仮のロックシステムは、固定体４００のポスト２２４及びポスト２２６の内部表面上に形成された（図１５に示す）雄型の要素又は舌状部４０２と、係止部材２３１の近位の端部、すなわち後部で形成され、挿入位置において雄型の要素４０２によって係合された（図１６及び図１７に示す）雌型の要素又は溝４０４と、を含む。
【００２８】
第２の仮のロックシステムは、固定体４００の遠位の端部、すなわち前部で前方に延在している（図１５〜図１７に示す）雄型の要素４０６と、ネジ付き前部３２５の近位の端部４１０で形成され、挿入位置において雄型の要素４０６によって係合される（図１５及び図１７に示す）雌型の要素４０８と、を含む。
【００２９】
係止部材２３１は、小ネジ２１８の（挿入位置における）アンカーアセンブリＡの段階的な前進によって引き起こされた固定体４００に沿った係止部材２３１の長手方向の移動の後で、接続端部２２８に係合することによって、係止部材２３１がその後に小ネジ２１８を受容するためのねじ穴を位置付けるために適合される垂直な姿勢に固定体４００に対して回動させる突出傾斜要素４１２も設けられる。
【００３０】
カラー２２０は、（少なくとも１つのフィン４１４のようなものである必要がある）一対の径方向において対向するフィン又は螺旋状のロック部材４１４を形成し、フィンは、一旦フィン４１４がアンカーアセンブリＡの取り付け間に壁又は天井の石膏に完全に係合されると、アンカーアセンブリＡの更なる回転を妨げるために螺旋状に形成される。螺旋状のロック部材４１４は、固定体４００のフランジ状の近位の端部４１８の下側に位置され、壁の目視可能な表面に当接することを意図されるフランジ状の端部４１８から離隔されている。螺旋状のロック部材４１４の螺旋の角度は、ねじとして作用せず、取り付けの間に動的慣性（dynamic inertia）のためにドライウォールに固定体４００を引き込むように設計され、（アンカーアセンブリの長手方向の軸に平行である径方向の平面に延在する）位置決めタブとして作用するのに十分に深く挿入されず（steep）、その結果、構成要素が取り付け間に幾分限度を超えて締め付けるときに、ドライウォールを破壊して巨大な円状の穴になる。
【００３１】
螺旋状のロック部材４１４は、導入するために位置を変えられたドライウォールのパーティクルボードのために間隙を設けているそれらの間の間隙４２０と共にフランジ状の端部４１８の上方に延在することはない。
【００３２】
固定具２１８が開口部内にスライド可能に挿入されることを可能にするための固定体４００のカラー２２０の間中形成された開口部２２２は、（星型状のプラス型のビットによって係合するために適しているソケットが使用されることもできるけれども、）スクリュードライバーのビットの標準的な六角形状の近位端を含んでいる「アレン」（Allen）キー型の工具を受容するために適した（図１８に示す）六角形状のソケット３８０を形成する。係止部材２３１のこの近位端は、プラスドライバーのビット又はヘッド部を受容するために適合される（図１９に示す）十字状の凹所４１６を形成する。プラスドライバーのビットを装着している工具は、（アンカーアセンブリＡが挿入位置において固定体４００に固定された係止部材と共にある）十字状の凹所４１６に係合するためにカラー２２０を貫通して挿入され、そのために工具の回転は、フィン４１４が石膏内に留まり、アンカーアセンブリＡの回転に対して抵抗を提供するまで、アンカーアセンブリＡの全体が石膏の壁又は天井に向かって駆動させることを引き起こす。
【００３３】
通常は、１／８インチ及び３／１６の大きさの小ネジ２１８にとって、カラー２２０内の開口部２２２は、工具が石膏の壁又は天井にアンカーアセンブリＡを取り付けるために固定体４００のみを係合するようにフィリップ型（Philips-shaped）である。しかしながら、１／４インチのようなより大きな寸法の小ネジにために結果として生じるアンカーアセンブリＡは著しく大きく、取り付けるためにより堅固であり、それによって、カラー２２０内の開口部２２２は（ソケット３８０に示すように）六角形状であり、係止部材２３１の近位端は、フィリップ型の工具が係止部材２３１を係合するように、上記に記述された十字状の凹所４１６を含み、少なくともそれら２つの構成要素が亜鉛及びナイロンからそれぞれなるときに、固定体４００はより強固になる。工具のフィリップ型のビットがあまりにも短く、十字状の凹所４１６に届くことができない場合、このビットの六角形状の近位端は、工具が石膏の壁又は天井にアンカーアセンブリＡを取り付けるために固定体４００上に作用することができるように六角形状のソケット３８０内にまだ留まることができる。
【００３４】
図２０は、天井Ｃにその挿入位置におけるアンカーアセンブリＡを示し、（固定具２１８がアンカーアセンブリＡ内に回転可能にさらに挿入されるけれども）天井Ｃに物品Ｐをしっかりと保持する。
【００３５】
図２１ａ〜２１ｆは、中空の壁ＷにアンカーアセンブリＡを挿入するための様々なステップ、すなわち多くの順次的な図面を図示する。図２１ａにおいて、固定体４００に直線的に位置合わせされるトグル係止部材２３１を備えるアンカーアセンブリＡは、スクリュードライバーのビットＢを使用して壁Ｗ内に挿入されかけている。図２１ｂにおいて、アンカーアセンブリＡは、係止部材２３１の尖ったねじ付き前部３２５及びそのフルート３２６の切断作用を受けて壁Ｗを貫通して部分的に挿入される。
【００３６】
図２１ｃは、係止部材２３１がまだ固定体４００と直線的に位置合わせされた状態で、且つ固定具アンカーアセンブリＡにおいて係合されかけている状態で、壁Ｗ内に完全に挿入されたアンカーアセンブリＡを示す。図２１ｄは、固定体４００に対して係止部材２３１の回動を引き起こしている固定具２１８を図示し、固定具２１８の前進が固定具２１８に係止部材２３１の近位端を係合させ、且つ雄型の要素４０２及び雄型の要素４０６がそれぞれの雌型の要素４０４及び雌型の要素４０８から解放されるまで固定具を並進運動的に移動し、それによって、固定具２３１の傾斜要素４１２が固定体４００の接続端部２２８を係合するときに、係止部材が回動することを可能にする。
【００３７】
図２１ｅにおいて、係止部材２３１は、そのトグル位置（すなわち固定体４００に対して垂直な姿勢のように）に完全に回動し、固定体２１８は、係止部材２３１において形成された穴２６０を螺合可能に係合される。固定具２１８のさらなる回転は、図２１ｆに示すように、壁Ｗの裏側の表面に対して堅固に当接されるまで係止部材２３１を壁Ｗの方へ引き込む。
【００３８】
この説明に役立つ実施形態において、アンカーアセンブリＡが（図２１ａ及び図２１ｂに示す）壁Ｗ内に回転可能に駆動される間に、固定体４００に捕捉されたトグル係止部材２３１を保持するために、（アンカーアセンブリＡの各側に４つずつ配置される）８つの連結部材があることに留意されたい。それらの連結部材は、手動のスクリュードライバー又は電力供給されたスクリュードライバーと共に駆動されるとき、要求された剛性を提供するために、取り付けの壁切断フェーズの間に２つの構成要素（係止部材２３１及び固定体４００）を連結する。以前に記述されたそれらの連結部材は、ポスト２２４及びポスト２２６に対応するトラック２３５及びトラック２３６と、雌型の要素４０４及び雌型の要素４０８に対応する雄型の要素４０２及び雄型の要素４０６と、を含む。それらの連結部材は、連結部材がトグル係止部材２３１の回動運動を妨げず、ねじ山を切られたトグル係止部材２３１に取り付けられるためのねじにとって、最終的な取り付け位置に配置することを可能にするように設計される。
【００３９】
以下の請求項において、「壁（wall）」及び「壁（walls）」は例えば天井などように、別の中空な構造を覆うことを意味する。
【００４０】
本発明がその特定の実施形態の手段で上記に記載されるけれども、添付された請求項に形成される本発明の精神及び本質から逸脱せずに修正されることができる。
【図面の簡単な説明】
【００４１】
【図１】従来のアンカーアセンブリのカラー及びポストの平面図である。
【図２】図１の線２−２に沿った長手方向の断面図である。
【図３】図１の線３−３に沿って垂直な断面図である。
【図４】図１の線４−４に沿った垂直な断面図である。
【図５】従来のアンカーアセンブリのカラー部分及びポスト部分のフランジ端部を示す側面図である。
【図６】従来のアンカーアセンブリのねじ付き前部の係止部分を示す平面図である。
【図７】図６の係止部分の正面図である。
【図８】図６の係止部分の底面図である。
【図９】図７の線９−９に沿った垂直な断面図である。
【図１０】図７の線１０−１０に沿った垂直な断面図である。
【図１１】図６の係止部の端面図である。
【図１２】従来のアンカーアセンブリの上面図である。
【図１３】従来のアンカーアセンブリの近位の端部から延在している見せかけの固定具のヘッド部を備えるアンカーアセンブリの正面図である。
【図１４】係止部分が実線で示されるその係止位置へ回動するにつれて係止部分の位置を示す「動作」中の図１３の従来のアンカーアセンブリの正面図である。
【図１５】本発明におけるアンカーアセンブリの正面図であり、その第１の挿入位置におけるアンカーアセンブリのトグル部材を示している。
【図１６】図１５のアンカーアセンブリの底面斜視図であり、その第２の保持位置におけるトグル部材を示している。
【図１７】アンカーアセンブリの底面斜視から僅かに減らした正面図であり、アンカーアセンブリに係合された固定具を示していることを除いて図１６に類似である。
【図１８】アンカーアセンブリのヘッド部分の拡大斜視図である。
【図１９】アンカーアセンブリのトグル部材の近位の端部、例えばトレールの拡大図である。
【図２０】天井に対する物品を保持する保持位置におけるアンカーアセンブリの概略正面図である。
【図２１ａ】壁に図１５〜図１９のアンカーアセンブリの取り付けを示す連続する概略的な部分断面側面図である。
【図２１ｂ】壁に図１５〜図１９のアンカーアセンブリの取り付けを示す連続する概略的な部分断面側面図である。
【図２１ｃ】壁に図１５〜図１９のアンカーアセンブリの取り付けを示す連続する概略的な部分断面側面図である。
【図２１ｄ】壁に図１５〜図１９のアンカーアセンブリの取り付けを示す連続する概略的な部分断面側面図である。
【図２１ｅ】壁に図１５〜図１９のアンカーアセンブリの取り付けを示す連続する概略的な部分断面側面図である。
【図２１ｆ】壁に図１５〜図１９のアンカーアセンブリの取り付けを示す連続する概略的な部分断面側面図である。
【符号の説明】
【００４２】
１０  アンカーアセンブリ
１８  ボルト
２０  カラー
２２  開口部
２４  ポスト
２６  ポスト
２８  接続端部
３１  係止部材
４０  リッジ
５０  チャンネル
６０  穴
１００  間隙
１０１  チャンネル
１２５  ねじ付きの前部
１２７  チャンネル
１２８  切断先行部
１２９  フルート
１４０  突出部
１４２  戻り止め
１６０  リッジ
１６２  空間
１８０  十字スロット
２１８  固定具
２２０  カラー
２２２  開口部
２２４  ポスト
２２６  ポスト
２２８  接続端部
２３１  係止部材
２３５  トラック
２６０  穴
３２９  フルート
３８０  六角形状のソケット
４００  固定体
４０２  舌状部（雄型の要素）
４０４  溝（雌型の要素）
４０６  舌状部（雄型の要素）
４０８  溝（雌型の要素）
４１０  近位の端部
４１２  突出傾斜要素
４１４  螺旋状のロック部材
４１６  十字状の凹所
４１８  フランジ
４２０  間隙
Ａ  アンカーアセンブリ
Ｂ  ねじ回しの刃
Ｃ  天井
Ｐ  物品
Ｗ  壁
【図１】
2008533412.tif 000003
【図２】
2008533412.tif 000004
【図３】
2008533412.tif 000005
【図４】
2008533412.tif 000006
【図５】
2008533412.tif 000007
【図６】
2008533412.tif 000008
【図７】
2008533412.tif 000009
【図８】
2008533412.tif 000010
【図９】
2008533412.tif 000011
【図１０】
2008533412.tif 000012
【図１１】
2008533412.tif 000013
【図１２】
2008533412.tif 000014
【図１３】
2008533412.tif 000015
【図１４】
2008533412.tif 000016
【図１５】
2008533412.tif 000017
【図１６】
2008533412.tif 000018
【図１７】
2008533412.tif 000019
【図１８】
2008533412.tif 000020
【図１９】
2008533412.tif 000021
【図２０】
2008533412.tif 000022
【図２１ａ】
2008533412.tif 000023
【図２１ｂ】
2008533412.tif 000024
【図２１ｃ】
2008533412.tif 000025
【図２１ｄ】
2008533412.tif 000026
【図２１ｅ】
2008533412.tif 000027
【図２１ｆ】
2008533412.tif 000028
【国際調査報告】
2008533412.tif 000029
2008533412.tif 000030